(57)【特許請求の範囲】
【請求項１】
穀物に熱風を通風する乾燥運転及び穀物に外気を通風する送風運転のうちの一方の運転を行ってから穀物への通風を所定時間停止する休止乾燥を行い更に仕上げの乾燥運転を行うことを含む一連の工程を自動運転する自動運転モードを選択可能な穀物乾燥装置であって、
穀物の乾燥に関する情報を提示する提示部と、
穀物の水分を測定する水分測定部と、
前記水分測定部によって測定された測定値を含む情報に基づいて、前記自動運転モードにおける休止乾燥時間を算出する算出部と、
前記水分測定部によって測定された測定値に基づいて、穀物の初期の水分値におけるばらつきが所定値以上の場合に、前記自動運転モードを選択するように提案するメッセージを前記提示部に提示させる提示制御部と、
を有する穀物乾燥装置。
【請求項２】
前記自動運転モードにおいて前記一方の運転を行うよりも前に穀物を所定時間撹拌する穀物乾燥装置であって、
穀物の初期の平均水分値、当該穀物の初期の水分値のばらつきのデータ及び乾燥処理終了時の当該穀物の水分値のばらつきのデータを関連付けた水分情報を蓄積する記憶部と、
前記水分測定部によって測定された測定値からそれぞれ求められた、乾燥対象となっている穀物の初期の平均水分値及び当該穀物の初期の水分値のばらつきのデータと、前記記憶部に蓄積された前記水分情報と、に基づいて、乾燥処理終了時の穀物の水分値のばらつきを予測し、予測した水分値のばらつきを含む情報に基づいて、前記自動運転モードにおける休止乾燥時間を算出する前記算出部と、
を有する請求項１記載の穀物乾燥装置。
【発明の詳細な説明】
【技術分野】
【０００１】
本発明は、穀物乾燥装置に関する。
【背景技術】
【０００２】
穀物乾燥装置（穀粒乾燥機ともいう）においては、乾燥運転又は送風運転を所定時間行ってから休止乾燥（調質乾燥ともいう）を所定時間行い、その後に仕上げの乾燥運転を行う場合がある（例えば、特許文献１参照）。このような場合、上記のような休止乾燥を行うことで、穀物の水分値のばらつきを小さくすることができる。
【先行技術文献】
【特許文献】
【０００３】
【特許文献１】特開２０１５−２２４８３５号公報
【発明の概要】
【発明が解決しようとする課題】
【０００４】
しかしながら、休止乾燥の適切な活用を容易にする点において改善の余地がある。
【０００５】
本発明は、上記事実を考慮して、休止乾燥の適切な活用を容易にすることができる穀物乾燥装置を得ることが目的である。
【課題を解決するための手段】
【０００６】
請求項１に記載の穀物乾燥装置は、穀物に熱風を通風する乾燥運転及び穀物に外気を通風する送風運転のうちの一方の運転を行ってから穀物への通風を所定時間停止する休止乾燥を行い更に仕上げの乾燥運転を行うことを含む一連の工程を自動運転する自動運転モードを選択可能な穀物乾燥装置であって、穀物の乾燥に関する情報を提示する提示部と、穀物の水分を測定する水分測定部と、前記水分測定部によって測定された測定値を含む情報に基づいて、前記自動運転モードにおける休止乾燥時間を算出する算出部と、前記水分測定部によって測定された測定値に基づいて、穀物の初期の水分値におけるばらつきが所定値以上の場合に、前記自動運転モードを選択するように提案するメッセージを前記提示部に提示させる提示制御部と、を有する。
【０００７】
請求項２に記載の穀物乾燥装置は、請求項１に記載の穀物乾燥装置において、前記自動運転モードにおいて前記一方の運転を行うよりも前に穀物を所定時間撹拌する穀物乾燥装置であって、穀物の初期の平均水分値、当該穀物の初期の水分値のばらつきのデータ及び乾燥処理終了時の当該穀物の水分値のばらつきのデータを関連付けた水分情報を蓄積する記憶部と、前記水分測定部によって測定された測定値からそれぞれ求められた、乾燥対象となっている穀物の初期の平均水分値及び当該穀物の初期の水分値のばらつきのデータと、前記記憶部に蓄積された前記水分情報と、に基づいて、乾燥処理終了時の穀物の水分値のばらつきを予測し、予測した水分値のばらつきを含む情報に基づいて、前記自動運転モードにおける休止乾燥時間を算出する前記算出部と、を有する。
【発明の効果】
【０００８】
請求項１に記載の穀物乾燥装置では、乾燥運転及び送風運転のうちの一方の運転を行ってから休止乾燥を所定時間行い更に仕上げの乾燥運転を行うことを含む一連の工程を自動運転する自動運転モードを選択可能となっている。また、この穀物乾燥装置では、穀物の乾燥に関する情報は提示部によって提示され、穀物の水分は水分測定部によって測定される。さらに、水分測定部によって測定された測定値を含む情報に基づいて、算出部は自動運転モードにおける休止乾燥時間を算出する。
【０００９】
ここで、穀物乾燥装置は提示制御部を有し、提示制御部は、水分測定部によって測定された測定値に基づいて、穀物の初期の水分値におけるばらつきが所定値以上の場合に、自動運転モードを選択するように提案するメッセージを提示部に提示させる。これにより、休止乾燥の適切な活用を容易にすることができる。
【００１０】
請求項２に記載の穀物乾燥装置では、自動運転モードにおいて乾燥運転及び送風運転のうちの一方の運転よりも前に穀物を所定時間撹拌する。これにより、穀物の水分値のばらつきが軽減される。一方、穀物の初期の平均水分値、当該穀物の初期の水分値のばらつきのデータ及び乾燥処理終了時の当該穀物の水分値のばらつきのデータを関連付けた水分情報が記憶部によって蓄積されている。ここで、穀物乾燥装置の算出部は、乾燥対象となっている穀物の初期の平均水分値及び当該穀物の初期の水分値のばらつきのデータと、記憶部に蓄積された前記水分情報と、に基づいて、乾燥処理終了時の穀物の水分値のばらつきを予測し、予測した水分値のばらつきを含む情報に基づいて、自動運転モードにおける休止乾燥時間を算出する。これにより、適切な休止乾燥時間が設定されることで、穀物の水分値のばらつきを精度良く抑えることができる。なお、この穀物乾燥装置では、自動運転モードにおいて乾燥運転及び送風運転のうちの一方の運転よりも前に穀物を所定時間撹拌して穀物の水分値のばらつきを軽減するので、前述した乾燥処理終了時の穀物の水分値のばらつきの予測の精度も高めやすい。
【図面の簡単な説明】
【００１１】
【図１】本発明の実施形態における穀物乾燥装置を示す前斜め右方側から見た斜視図である。
【図２】図２（Ａ）は、本発明の実施形態における穀物乾燥装置を示す前方側から見た概略断面図である。図２（Ｂ）は本発明の実施形態における穀物乾燥装置を一部破断して示す左方側から見た概略側面図である。
【図３】図１に示す穀物乾燥装置の操作盤を示す正面図である。
【図４】穀物乾燥装置の制御装置のハードウェア構成等の一例を示すブロック図である。
【図５】穀物乾燥装置の制御装置の機能構成の一例を示すブロック図である。
【図６】図３に示すディスプレイの表示画面に水分データ等が表示された状態を示す図である。図６（Ａ）〜図６（Ｅ）に切り替わる。
【図７】穀物の水分値とその検出回数との関係を示すグラフである。図７（Ａ）はばらつきが少ない場合を示す。図７（Ｂ）は図７（Ａ）の場合に比べてややばらつきがある場合を示す。図７（Ｃ）はばらつきが多い場合を示す。
【図８】図３に示すディスプレイの表示画面におまかせ乾燥（自動運転モード）を選択するように提案するメッセージが表示された状態を示す図である。
【図９】おまかせ乾燥の設定をする場合のディスプレイの表示を示す図である。図９（Ａ）、図９（Ｂ）、図９（Ｃ）の順に画面展開される。
【図１０】穀物乾燥装置によるおまかせ乾燥（自動運転モード）の処理の流れの一例を示すフローチャートである。
【図１１】おまかせ乾燥に設定されて乾燥スイッチが押された場合でかつその際の所定時に穀物についての平均水分値のデータが取得されている場合の表示画面の状態の一部を示す図である。図１１（Ａ）、図１１（Ｂ）、図１１（Ｃ）、図１１（Ｄ）の順に画面展開され、図１１（Ｄ）の状態と図１１（Ｅ）の状態とが交互に繰り返される。
【図１２】おまかせ乾燥に設定されて乾燥スイッチが押された場合でかつその際の所定時に穀物についての平均水分値のデータが取得されていない場合の表示画面の状態の一部を示す図である。図１２（Ａ）、図１２（Ｂ）、図１２（Ｃ）、図１２（Ｄ）、図１２（Ｅ）、図１２（Ｆ）の順に画面展開され、図１２（Ｆ）の状態と図１２（Ｇ）の状態とが交互に繰り返される。
【図１３】図１２（Ｆ）、図１２（Ｇ）の後の表示画面の状態の一部を示す図である。図１３（Ａ）の状態と図１３（Ｂ）の状態とが交互に繰り返され、その後、図１３（Ｃ）の状態と図１３（Ｄ）の状態とが交互に繰り返される。
【図１４】図１３の後の表示画面の状態の一部を示す図である。休止乾燥工程において図１４（Ａ）の状態と図１４（Ｂ）の状態とが交互に繰り返され、その後、仕上げの乾燥工程において図１４（Ｃ）の状態と図１４（Ｄ）の状態とが交互に繰り返される。図１４（Ｅ）は乾燥終了状態を示す。
【発明を実施するための形態】
【００１２】
図１には、本発明の実施形態における縦型の穀物乾燥装置１０が前斜め右方から見た斜視図にて示されている。また、図２（Ａ）には、穀物乾燥装置１０が前方側から見た概略断面図で示され、図２（Ｂ）には、穀物乾燥装置１０が左方側から見た状態でかつ一部破断された概略側面図で示されている。なお、図１及び図２では、穀物乾燥装置１０の前方を矢印ＦＲで示し、穀物乾燥装置１０の左方を矢印ＬＨで示し、穀物乾燥装置１０の上方を矢印ＵＰで示している。
【００１３】
これらの図に示す本実施形態の穀物乾燥装置１０は、自動運転モード（本実施形態では「おまかせ乾燥」と称する）を選択可能に構成されている。自動運転モードである「おまかせ乾燥」が選択されると、最初に穀物を所定時間撹拌し、次に乾燥運転及び送風運転のうちの一方の運転を行ってから穀物への通風を所定時間停止する休止乾燥を行い更に仕上げの乾燥運転を行う、という一連の工程が自動運転される。なお、乾燥運転は穀物に熱風を通風する運転であり、送風運転は穀物に外気を通風する運転である。また、穀物乾燥装置１０は、運転時間や休止時間が利用者によって設定されるプログラムタイマ運転を選択（設定）することも可能とされている。
【００１４】
図１に示す如く、穀物乾燥装置１０は、装置本体として機体１２を備えており、機体１２は、上下方向に高く前後方向に長い略直方体形箱状にされている。図２（Ａ）に示す如く、機体１２内の上部は、貯留室１４とされており、貯留室１４内には穀物Ｋ（例えば籾）が貯留（収容）される。
【００１５】
機体１２内の下部には一対の排風路隔壁１６が設けられており、各排風路隔壁１６は通気性を有している。各排風路隔壁１６は、機体１２の前面板と後面板との間に架け渡されると共に、機体１２の各側面板から機体１２の左右方向中央へ向けて下方に傾斜している。すなわち、一対の排風路隔壁１６は漏斗状とされている。
【００１６】
一対の排風路隔壁１６の内側には、風胴板１８が設けられており、風胴板１８は、通気性を有すると共に、略菱形筒状とされている。風胴板１８は機体１２の前面板と後面板との間に架け渡されると共に、風胴板１８の下側は、対向する各排風路隔壁１６に平行とされている。風胴板１８の内部は遠赤放射室（「送風路」と称される場合もある）２０とされている。遠赤放射室２０に対応して機体１２の前面板には矩形状の外気入口（図示省略）が形成されており、この外気入口は遠赤放射室２０に連通している。
【００１７】
風胴板１８の上側と各排風路隔壁１６の上部との間には、導風路隔壁２２が設けられており、各導風路隔壁２２は、通気性を有すると共に、略菱形筒状とされている。各導風路隔壁２２は機体１２の前面板と後面板との間に架け渡されており、各導風路隔壁２２の内部は導風路２４とされている。各導風路隔壁２２の下側は、対向する各排風路隔壁１６に平行とされると共に、対向する風胴板１８に平行とされている。
【００１８】
風胴板１８の左方及び右方には、風胴板１８と導風路隔壁２２との間、導風路隔壁２２と排風路隔壁１６との間、及び、風胴板１８と排風路隔壁１６との間において、収容室を構成する穀物流下路２６が形成されており、各穀物流下路２６には貯留室１４内に貯留された穀物Ｋが流下（流動）する。
【００１９】
各穀物流下路２６の下端間には、円筒状のシャッタドラム２８が設けられており、シャッタドラム２８は、各穀物流下路２６の下端を略閉塞すると共に、機体１２の前面板と後面板との間に架け渡されて軸心回りに回転可能とされている。シャッタドラム２８の外周には、軸方向に長尺とされた矩形状のスリット（図示省略）が一対形成されている。一方のスリット（図示省略）はシャッタドラム２８の外周の前側に形成され、他方のスリット（図示省略）は、シャッタドラム２８の外周の後側かつ前記一方のスリットに対して周方向反対側に形成されている。
【００２０】
一対の排風路隔壁１６の下方には正面視で略Ｖ字状の張込流し板３２が設けられており、張込流し板３２は、機体１２の前面板と後面板との間に架け渡されている。また、張込流し板３２と各排風路隔壁１６との間は排風路３４とされている。
【００２１】
機体１２の側面板には、貯留室１４内の穀物Ｋの収容量を検出するための張込量センサ３６（図２（Ａ）では図示省略、図４参照）が設けられている。また、機体１２の側面板下部には張込ホッパ３８が開閉可能に設けられており、張込ホッパ３８が開放されることで、機体１２内へ穀物Ｋを張り込み（供給）可能とされている。ここで、シャッタドラム２８から排出された穀物Ｋまたは張込ホッパ３８から張り込まれた穀物Ｋは、張込流し板３２の略Ｖ字内側の下端側に流下する。
【００２２】
シャッタドラム２８の下方には、下スクリューコンベヤ４０がシャッタドラム２８に対して平行に配置されている。下スクリューコンベヤ４０は、その長手方向に沿って配置された下スクリュー４２を備えると共に、この下スクリュー４２の下側を通るように配置された下搬送樋３２Ａを備えている。下搬送樋３２Ａは、略Ｖ字状の張込流し板３２の下部を構成している。下スクリュー４２は、下搬送樋３２Ａに流下した穀物Ｋを前方側へ搬送するように構成されている。
【００２３】
図１に示す如く機体１２の前方側には、その右側において、昇降機４４が立設されている。昇降機４４の上部は機体１２の上面板よりも上方へ突出している。
【００２４】
図２（Ａ）及び図２（Ｂ）に示す如く昇降機４４内には無端ベルト４６が配置されており、無端ベルト４６にはバケット４８が一定間隔で取り付けられている。昇降機４４内の下端は下搬送樋３２Ａ内の前端に連通されている。昇降機４４は、無端ベルト４６が回転することによって昇降機４４の下端側の穀物Ｋをバケット４８で昇降機４４内の上端側まで持上搬送するように構成されている。
【００２５】
図２（Ｂ）に示す如く昇降機４４の側面板には、その下部において、穀物Ｋの水分を測定する水分測定部としての水分センサ６８が設けられている。水分センサ６８内の上部は昇降機４４内に連通されており、昇降機４４内の下端に堆積した穀物Ｋがバケット４８によって掬われる際に、穀物Ｋへのバケット４８の跳ね上げ作用によって、基本的には穀物Ｋが水分センサ６８内へ自動的にサンプリング（取得）される。水分センサ６８内には一対の電極ロール（図示省略）が設けられており、水分センサ６８内へサンプリングされた穀物Ｋが１粒毎に一対の電極ロール間で圧砕されると共に一対の電極ロール間の電気抵抗値が測定されることで、測定された電気抵抗値が穀物Ｋの水分値（含水率）に換算されて、穀物Ｋの水分値が測定（検出）される。
【００２６】
機体１２の上端には、上スクリューコンベヤ５０がシャッタドラム２８（図２（Ａ）参照）に対して平行に配置されている。上スクリューコンベヤ５０は、後端が機体１２の上面板中央直下に配置されると共に、前端が機体１２の前面板から突出している。上スクリューコンベヤ５０は、その長手方向に沿って配置された長尺樋状の上搬送樋５２を備えると共に上搬送樋５２内に設けられた上スクリュー５４を備えている。上搬送樋５２内の前端側の部分は昇降機４４内の上端側の部分に連通されている。上スクリュー５４は、上搬送樋５２の長手方向に沿って配置され、上搬送樋５２内の前端側に流下した穀物Ｋを後方側へ搬送するように構成されている。また、上搬送樋５２内の前端は図示しない切替弁の切り替えによって排出管５６（図１参照）に連通可能とされている。
【００２７】
上スクリューコンベヤ５０の後端の下方側には、円盤状の均分機５８が回転可能に設けられている。上スクリューコンベヤ５０の後端（上搬送樋５２内の後端）側に搬送された穀物Ｋが、回転される均分機５８の上面に流下することで、遠心力によって貯留室１４内へ均等に放散分配される。
【００２８】
図１に示す如く機体１２の前面下部には、その左側の部位に直方体箱状の火炉ケース６０が設けられている。火炉ケース６０の前面部には、スリット状の外気導入口６２Ｈが複数形成された火炉カバー６２が配置されている。火炉ケース６０の後面板は部分的に開放されている。火炉ケース６０の内部には、バーナ６３（図２（Ｂ）参照）が設けられている。
【００２９】
また、図２（Ａ）及び図２（Ｂ）に示す如く遠赤放射室２０内には、筒状に形成された遠赤外線放射体６４が配置されている。遠赤外線放射体６４は、図２（Ｂ）に示される側面視で全体として横向きのＵ字状に形成されている。遠赤外線放射体６４の一端側開口部（図示省略）は、バーナ６３の本体に連結されている。遠赤外線放射体６４の他端側開口部（図示省略）は、遠赤放射室２０内の空間に臨んで火炉カバー６２の外気導入口６２Ｈ（図１参照）側へ向けて配置されている。遠赤外線放射体６４は、穀物乾燥装置１０が乾燥運転される際にバーナ６３が点火されることによって発生した熱風によって加熱されると共に、他端側開口部（図示省略）から前記熱風を遠赤放射室２０内へ放出するように構成されている。
【００３０】
一方、機体１２の後面下部には、吸引排風機６６の前端が取り付けられ、吸引排風機６６の後端には、排風ダクト６７（図１参照）の一端が取り付けられている。吸引排風機６６が駆動されることで、常温の外気（常温風）が、火炉ケース６０の外気導入口６２Ｈ（図１参照）から火炉ケース６０内を経て図２（Ａ）に示す遠赤放射室２０内に吸引流入され、さらに、風胴板１８、各穀物流下路２６、各排風路隔壁１６及び各排風路３４を経て図２（Ｂ）に示す吸引排風機６６内に吸引送風され、かつ、排風ダクト６７（図１参照）を経て排風される。また、図２（Ａ）に示す各穀物流下路２６の上部に送風される外気は、各導風路隔壁２２及び各導風路２４を通過する。
【００３１】
さらに、図１に示す火炉ケース６０の外気導入口６２Ｈから火炉ケース６０内に導入された外気が、図２（Ｂ）に示すバーナ６３によって外気に比し高温に加熱された熱風（乾燥風）にされて各穀物流下路２６へ送風されることで、各穀物流下路２６内の穀物Ｋが乾燥される。
【００３２】
図１に示す如く機体１２の前面下部において、火炉ケース６０の直上には操作盤７０が設けられている。操作盤７０は、穀物乾燥装置１０の制御装置９０（図４参照）の操作用とされる。図３には、穀物乾燥装置１０の操作盤７０が正面図で示されている。図３に示す如く、操作盤７０には、電源スイッチ７１、張込スイッチ７２、循環スイッチ７３、排出スイッチ７４、送風スイッチ７５、乾燥スイッチ７６、停止スイッチ７７、及び設定ダイヤル７８が設けられており、これらは、制御装置９０（図４参照）に接続されている。
【００３３】
また、操作盤７０には、穀物Ｋの乾燥に関する情報を提示する提示部としてのディスプレイ８０が設けられている。ディスプレイ８０の表示画面には、水分センサ６８（図２（Ｂ）参照）によって測定された穀物Ｋの水分値等が表示される。ディスプレイ８０の上方側には、第一キー８１、第二キー８２及び第三キー８３が設けられ、ディスプレイ８０の下方側には、第四キー８４、第五キー８５及び第六キー８６が設けられる。第一キー８１は、乾燥速度の設定用とされ、第二キー８２は、プログラムタイマ運転の設定用とされ、第三キー８３は、プログラムタイマ運転の設定時における入・切の一括選択用とされ、第四キー８４は、穀物Ｋの種類の選択用とされ、第五キー８５は、目標とする仕上り水分値の設定用とされ、第六キー８６は、穀物Ｋの張込量の設定用とされる。図４に示す如くこのディスプレイ８０、第一キー８１、第二キー８２、第三キー８３、第四キー８４、第五キー８５及び第六キー８６は、制御装置９０に接続されている。
【００３４】
制御装置９０は、ＣＰＵ（Ｃｅｎｔｒａｌ  Ｐｒｏｃｅｓｓｉｎｇ  Ｕｎｉｔ：プロセッサ）９０Ａ、ＲＯＭ（Ｒｅａｄ  Ｏｎｌｙ  Ｍｅｍｏｒｙ）９０Ｂ及びＲＡＭ（Ｒａｎｄｏｍ  Ａｃｃｅｓｓ  Ｍｅｍｏｒｙ）９０Ｃ、記憶部としてのストレージ９０Ｄ、及びＩ／Ｏ（入出力インターフェース）９０Ｅを有する。これらの各構成部は、バス９０Ｚを介して相互に通信可能に接続されている。また、Ｉ／Ｏ９０Ｅには、張込量センサ３６及び水分センサ６８が接続されると共に、シャッタドラム２８（図２（Ａ）参照）の駆動用とされた第一モータＭ１、下スクリュー４２（図２（Ａ）参照）の駆動用とされた第二モータＭ２、昇降機４４、上スクリュー５４及び均分機５８（いずれも図２（Ａ）参照）の駆動用とされた第三モータＭ３、吸引排風機６６並びにバーナ６３が接続されている。
【００３５】
ＣＰＵ９０Ａは、中央演算処理ユニットであり、各種プログラムを実行したり、各部を制御したりする。ＲＯＭ９０Ｂは、各種プログラム及び各種データを格納する。ＲＡＭ２３は、作業領域として一時的にプログラム又はデータを記憶する。前述したＣＰＵ９０Ａは、ＲＯＭ９０Ｂ又はストレージ９０Ｄからプログラムを読み出し、ＲＡＭ９０Ｃを作業領域としてプログラムを実行する。ストレージ９０Ｄは、ＨＤＤ（Ｈａｒｄ  Ｄｉｓｋ  Ｄｒｉｖｅ）またはＳＳＤ（Ｓｏｌｉｄ  Ｓｔａｔｅ  Ｄｒｉｖｅ）により構成され、各種プログラム及び各種データ等を格納する。本実施形態では、ストレージ９０Ｄには、穀物の初期の平均水分値（％）、当該穀物の初期の水分値のばらつき（標準偏差）のデータ及び乾燥処理終了時の当該穀物の水分値のばらつき（標準偏差）のデータを関連付けた水分情報が蓄積されている。なお、前記水分情報は、穀物乾燥装置１０が利用者によって利用可能となる前の時点で既にストレージ９０Ｄに蓄積されており、更に利用者によって穀物乾燥装置１０が利用される毎にストレージ９０Ｄに追加される。
【００３６】
また、前記水分情報は学習用データ（教師データ）として用いられる。そして、前記水分情報を学習用データとして用いてＣＰＵ９０Ａが学習プログラムを実行することで、学習済みモデルが取得され、この学習済みモデルはストレージ９０Ｄに記憶される。前記学習済みモデルは、乾燥対象となっている穀物Ｋの初期の平均水分値（％）及び穀物Ｋの初期の水分値のばらつき（標準偏差）のデータが入力された場合に、乾燥処理終了時の穀物Ｋの水分値のばらつき（標準偏差）を示す予測データが出力されるように、例えばディープニューラルネットワークモデルを機械学習させることによって生成される。なお、前記学習済みモデルは、穀物乾燥装置１０が利用者によって利用可能となる前の時点で既にストレージ９０Ｄに記憶されており、更に前記水分情報がストレージ９０Ｄに追加される毎に所定のタイミングで（ＣＰＵ９０Ａが前記学習プログラムを実行することで）更新される。
【００３７】
制御装置９０は、上記のハードウェア資源を用いて、各種の機能を実現する。この制御装置９０が実現する機能構成について以下に説明する。
【００３８】
図５は、制御装置９０の機能構成の一例を示すブロック図である。図５に示す如く、制御装置９０は、機能構成として、算出部９２及び提示制御部９４を有する。各機能構成は、ＣＰＵ９０Ａがプログラムを実行することにより実現される。
【００３９】
算出部９２は、水分センサ６８によって測定された測定値を含む情報に基づいて、自動運転モード（「おまかせ乾燥」）における休止乾燥時間を算出する。より具体的に説明すると、算出部９２は、水分センサ６８によって測定された測定値からそれぞれ求められた、乾燥対象となっている穀物Ｋの初期の平均水分値及び当該穀物Ｋの初期の水分値のばらつきのデータと、ストレージ９０Ｄに蓄積された前記水分情報と、に基づいて、乾燥処理終了時の穀物Ｋの水分値のばらつきを予測し、予測した水分値のばらつきを含む情報に基づいて、自動運転モード（「おまかせ乾燥」）における休止乾燥時間を算出する。
【００４０】
提示制御部９４は、水分センサ６８によって測定された測定値に基づいて、穀物Ｋの初期の水分値におけるばらつき（標準偏差）が所定値以上の場合に、自動運転モード（「おまかせ乾燥」）を選択するように提案するメッセージをディスプレイ８０に提示（より具体的には表示）させる。なお、穀物Ｋの初期の水分値におけるばらつき（標準偏差）が大きくなると利用者による妥当な休止乾燥時間の推定が難しくなる。よって、そのような推定の難しさの程度を踏まえて上記の所定値は設定される。
【００４１】
次に、本実施の形態の作用を説明する。
【００４２】
図１等に示す本実施形態の穀物乾燥装置１０では、図３に示す操作盤７０の張込スイッチ７２を運転操作すると、図２に示す下スクリューコンベヤ４０、昇降機４４、上スクリューコンベヤ５０及び均分機５８が駆動されて、張込運転が開始される。そして、張込ホッパ３８が開放され、刈り取られた穀物Ｋが機体１２内へ張り込まれる。機体１２内へ張り込まれた穀物Ｋは張込流し板３２によって下スクリューコンベヤ４０に案内され、下スクリューコンベヤ４０から昇降機４４、上スクリューコンベヤ５０及び均分機５８を経て、貯留室１４内及び各穀物流下路２６へ搬送される（貯留される）。また、張込運転（穀物Ｋの張込処理）は、図３に示す操作盤７０の停止スイッチ７７の操作により、又は、図２に示す貯留室１４内及び各穀物流下路２６へ穀物Ｋが張込限度まで張り込まれた際に自動的に、停止される。
【００４３】
この張込運転時には、図６に示す如くディスプレイ８０の表示画面に水分データ（測定された水分値とそのばらつき具合）等が表示される。すなわち、一例として、図６（Ａ）、図６（Ｂ）、図６（Ｃ）の順に所定秒間隔で画面が切り替わり、図６（Ａ）〜図６（Ｃ）の画面切り替えが繰り返される。ここで、図６（Ｂ）に示す画面に表示さるグラフは、穀物Ｋの水分値のばらつきを示す棒グラフであり、横軸が水分センサ６８によって測定された穀物Ｋの水分値（％）、縦軸が水分センサ６８による検出回数を示している。また、設定ダイヤル７８（図３参照）を押すと図６（Ｄ）に示す張込運転中の画面に戻り、図６（Ｄ）に示す画面と図６（Ｅ）に示す画面とが所定秒毎に交互に表示される。
【００４４】
図６（Ｂ）に示す画面に表示されるグラフについて図７（Ａ）〜図７（Ｃ）を参照しながら補足説明する。図７（Ａ）〜図７（Ｃ）に示すグラフは、図６（Ｂ）に示す画面に表示されるグラフと同様に、水分センサ６８によって測定された穀物Ｋの水分値（％）と水分センサ６８による検出回数との関係を示すグラフである。
【００４５】
図７（Ａ）は、図７（Ａ）〜図７（Ｃ）のうちで、最も水分値のばらつきが少ない場合、言い換えれば、水分ムラが最も少ない場合を示し、良く調質されていることを表している。このような場合には、乾燥仕上がり時の水分誤差も少ない傾向がある。
【００４６】
図７（Ｂ）は、図７（Ａ）の場合に比べて水分値のばらつきがややある場合を示す。このような場合には、乾燥仕上がり時の水分誤差を少なくするために図７（Ａ）の場合よりも気を配る必要が生じ、利用者は適切な休止乾燥時間を推定することが難しい。
【００４７】
図７（Ｃ）は、図７（Ａ）〜図７（Ｃ）のうちで、最も水分値のばらつきが多い場合、言い換えれば、水分ムラが最も多い場合を示す。このような場合には、乾燥仕上がり時の水分誤差を少なくするために図７（Ｂ）の場合よりも更に気を配る必要が生じ、利用者は適切な休止乾燥時間を推定することが一層難しい。
【００４８】
本実施形態では、図４に示すＣＰＵ９０Ａは、水分センサ６８によって測定された測定値に基づいて、穀物Ｋの初期の水分値におけるばらつきが所定値以上の場合に、図８に示す如く自動運転モードである「おまかせ乾燥」を選択するように提案するメッセージをディスプレイ８０の表示画面に表示（広義には提示）させる。これにより、休止乾燥の適切な活用を容易にすることができる。
【００４９】
「おまかせ乾燥」を設定する場合に、利用者によって図３に示す第一キー８１が押されると図９（Ａ）に示す「乾燥速度の設定」の画面が表示される。次に、設定ダイヤル７８（図３参照）の操作でカーソルが図９（Ｂ）に示す如く「おまかせ」に合わせられ、第六キー８６（図３参照）が押されると、図９（Ｃ）に示す如く「おまかせ」の文字が表示画面の左上に表示される。
【００５０】
次に、利用者によって乾燥スイッチ７６（図３参照）が押されると、ＣＰＵ９０Ａ（図４参照）が張込量センサ３６（図４参照）の検出結果をチェックし、そのチェックの結果、ＣＰＵ９０Ａがおまかせ乾燥（自動運転モード）の処理を実行してよいと判定すると、一例として、図１０に示すおまかせ乾燥（自動運転モード）の処理の実行が開始される。図１０に示す処理は、図４に示すＣＰＵ９０Ａがおまかせ乾燥用のプログラムを実行することにより行なわれる。
【００５１】
まず、ＣＰＵ９０Ａは、水分センサ６８の検出結果に基づいて、張り込まれた穀物Ｋについての平均水分値（水分値の平均値）のデータがあるか否かを判断する（ステップＳ１００）。
【００５２】
張り込まれた穀物Ｋについての平均水分値のデータがない場合（ステップＳ１００：Ｎ）、ＣＰＵ９０Ａは、ステップＳ１１０の処理（後述）へ移行する。なお、張り込まれた穀物Ｋについての平均水分値のデータが取得されていない場合となるのは、例えば、次の３つの場合である。第１の場合は、水分センサ６８による自動測定の設定が「切」（ＯＦＦ）の状態になっていた場合である。第２の場合は、水分センサ６８による自動測定の設定が「入」（ＯＮ）の状態になっているものの所定周期の水分測定時において水分センサ６８内に穀粒をサンプリングできなかった（取り込めなかった）又はサンプリングできたがその数が足りなかった場合である。第３の場合は、水分センサ６８が穀物Ｋの水分を測定した後でかつステップＳ１００の前において（例えば元電源が切られた又は停電になったといった理由で）電力供給が途絶えて測定データが消えてしまった場合である。
【００５３】
一方、張り込まれた穀物Ｋについての平均水分値のデータがある場合（ステップＳ１００：Ｙ）、ＣＰＵ９０Ａは、休止乾燥時間及びおまかせ乾燥の残時間を計算する（ステップＳ１０２）。ＣＰＵ９０Ａが適切な休止乾燥時間を算出することで適切な休止乾燥時間が設定されることになるので、穀物Ｋの水分値のばらつきを精度良く抑えることができる。ステップＳ１０２において、ＣＰＵ９０Ａは、おまかせ乾燥における休止乾燥時間を一例として次のように算出する。
【００５４】
まず、ＣＰＵ９０Ａは、乾燥対象となっている穀物Ｋの初期の平均水分値（％）及び穀物Ｋの初期の水分値のばらつき（標準偏差）のデータに基づいて、所定の計算式から基準休止乾燥時間を算出する。
【００５５】
次に、ＣＰＵ９０Ａは、水分センサ６８によって測定された測定値からそれぞれ求められた、乾燥対象となっている穀物Ｋの初期の平均水分値及び当該穀物Ｋの初期の水分値のばらつき（標準偏差）のデータと、ストレージ９０Ｄに蓄積された前記水分情報（すなわち、穀物の初期の平均水分値（％）、当該穀物の初期の水分値のばらつき（標準偏差）のデータ及び乾燥処理終了時の当該穀物の水分値のばらつき（標準偏差）のデータを関連付けた情報）と、に基づいて、乾燥処理終了時の穀物Ｋの水分値のばらつき（標準偏差）を予測（算出）する。補足説明すると、ＣＰＵ９０Ａは、乾燥対象となっている穀物Ｋの初期の平均水分値（％）及び穀物Ｋの初期の水分値のばらつき（標準偏差）のデータを、ストレージ９０Ｄに記憶された前記学習済みモデルに入力して、前記学習済みモデルから出力される乾燥処理終了時の穀物Ｋの水分値のばらつき（標準偏差）を示す予測データを取得する。
【００５６】
次に、ＣＰＵ９０Ａは、予め定められた基準に従って、予測された乾燥処理終了時の穀物Ｋの水分値のばらつき（以下、この場合の標準偏差を「予測偏差」と略す）が大きいときはおまかせ乾燥における休止乾燥時間を基準休止乾燥時間よりも長くし、予測偏差が小さいときはおまかせ乾燥における休止乾燥時間を基準休止乾燥時間よりも短くする。すなわち、ＣＰＵ９０Ａは、基準休止乾燥時間を補正して休止乾燥時間とする。
【００５７】
具体的には、一例として、ＣＰＵ９０Ａは、予測偏差が第１の基準値を超えるときは、基準休止乾燥時間に所定の時間ｔ１を加算しておまかせ乾燥における休止乾燥時間とし、予測偏差が前記第１の基準値よりも小さい第２の基準値未満の場合は、基準休止乾燥時間から所定の時間ｔ２を減算しておまかせ乾燥における休止乾燥時間とする。
【００５８】
但し、一例として、算出された休止乾燥時間が所定の上限時間を超える場合、ＣＰＵ９０Ａは、休止乾燥時間を前記上限時間とし、算出された休止乾燥時間が所定の下限時間より短くなる場合、ＣＰＵ９０Ａは、休止乾燥時間を前記下限時間とする。補足説明すると、休止乾燥時間は長いほど効果があるが、本実施形態で上限時間を設けているのは、休止乾燥時間があまりにも長いと、利用者が不安に感じる場合がある他、翌日の作業に影響が出る場合も考えられるためである。なお、本実施形態の変形例として、上記の但し書きのような上限時間及び下限時間を設定しないで休止乾燥時間を決定してもよい。
【００５９】
ステップＳ１０２の処理が実行された後、ＣＰＵ９０ＡはステップＳ１０４の処理へ移行する。ステップＳ１０４において、ＣＰＵ９０Ａは、図１１（Ａ）に示すおまかせ乾燥のスタート画面をディスプレイ８０に表示するように制御する。図１１（Ａ）に示すスタート画面では、おまかせ乾燥の終了予定時刻が表示されると共に、仮にプログラムタイマ運転が設定されていたとしてもプログラムタイマは解除される旨の注意点が示される。
【００６０】
次に、図１０のステップＳ１０６において、ＣＰＵ９０Ａは、乾燥開始の操作がされたか否かを判断する。すなわち、このステップＳ１０６では、利用者によって乾燥スイッチ７６（図３参照）又は第六キー８６（図３参照）が押されたか否かが判断される。
【００６１】
ここで、乾燥開始の操作がされたものと判断されない場合（ステップＳ１０６：Ｎ）、ＣＰＵ９０Ａは、乾燥開始の操作がされるまで待機する。また、乾燥開始の操作がされたものと判断された場合（ステップＳ１０６：Ｙ）、ＣＰＵ９０Ａは、ステップＳ１０８の処理へ移行する。
【００６２】
ステップＳ１０８において、ＣＰＵ９０Ａは、所定の前処理（プログラムのタイマを全てゼロリセットしてＯＮに設定したうえでブザーを鳴らして水分センサ６８をチェックするといった処理）の実行がなされるように制御したうえで撹拌送風運転（穀物Ｋを撹拌しながらバーナ６３が点火されないで吸引排風機６６を作動させて送風する運転）を所定時間行うように制御する。穀物Ｋを撹拌させるためには下スクリューコンベヤ４０、昇降機４４、上スクリューコンベヤ５０、均分機５８及びシャッタドラム２８の作動させるが、その動作については、例えば、特開平９−３２４９８４号公報等で公知であるため、詳細説明を省略する。なお、本実施形態の穀物乾燥装置１０では、自動運転モードであるおまかせ乾燥において後述する乾燥運転（ステップＳ１２０）及び循環送風運転（ステップＳ１２４）のうちの一方の運転よりも前に穀物Ｋを所定時間撹拌して穀物Ｋの水分値のばらつきを軽減するので、前述した乾燥処理終了時の穀物Ｋの水分値のばらつきの予測の精度も高めやすい。
【００６３】
また、このとき、ＣＰＵ９０Ａは、図１１（Ａ）に示す状態にあったディスプレイ８０の表示画面を図１１（Ｂ）に示す画面に切り替えてさらに図１１（Ｃ）に示す確認画面に切り替えるように、制御する。また、その後に、ＣＰＵ９０Ａは、図１１（Ｃ）に示す状態にあったディスプレイ８０の表示画面を図１１（Ｄ）に示す画面に切り替えてさらに図１１（Ｄ）に示す画面と図１１（Ｅ）に示す画面とが所定秒毎に交互に表示されるように、制御する。その後、ＣＰＵ９０Ａは、ステップＳ１１８の処理（後述）へ移行する。
【００６４】
一方、ステップＳ１１０において、ＣＰＵ９０Ａは、図１２（Ａ）に示すおまかせ乾燥のスタート画面をディスプレイ８０に表示するように制御する。図１２（Ａ）に示すおまかせ乾燥のスタート画面では、おまかせ乾燥の終了予定時刻の表示予定が表示されると共に、仮にプログラムタイマ運転が設定されていたとしてもプログラムタイマは解除される旨の注意点が示される。
【００６５】
次に、図１０のステップＳ１１２において、ＣＰＵ９０Ａは、乾燥開始の操作がされたか否かを判断する。すなわち、このステップＳ１１２では、利用者によって乾燥スイッチ７６（図３参照）又は第六キー８６（図３参照）が押されたか否かが判断される。
【００６６】
ここで、乾燥開始の操作がされたものと判断されない場合（ステップＳ１１２：Ｎ）、ＣＰＵ９０Ａは、乾燥開始の操作がされるまで待機する。また、乾燥開始の操作がされたものと判断された場合（ステップＳ１１２：Ｙ）、ＣＰＵ９０Ａは、ステップＳ１１４の処理へ移行する。
【００６７】
ステップＳ１１４において、ＣＰＵ９０Ａは、所定の前処理（プログラムのタイマを全てゼロリセットしてＯＮに設定したうえでブザーを鳴らして水分センサ６８をチェックするといった処理）の実行がなされるように制御したうえで撹拌送風運転（穀物Ｋを撹拌しながらバーナ６３が点火されないで吸引排風機６６を作動させて送風する運転）を所定時間行うように制御すると共に、撹拌送風運転時に水分センサ６８が所定のタイミングで水分を測定するように制御する。
【００６８】
また、このとき、ＣＰＵ９０Ａは、図１２（Ａ）に示す状態にあったディスプレイ８０の表示画面を図１２（Ｂ）に示す画面に切り替えてさらに図１２（Ｃ）に示す確認画面に切り替えるように、制御する。また、その後に、ＣＰＵ９０Ａは、一例として、図１２（Ｃ）に示す状態にあったディスプレイ８０の表示画面を図１２（Ｄ）に示す画面に切り替えてさらに図１２（Ｄ）に示す画面と図１２（Ｅ）に示すような画面とが交互に繰り返されるように、制御する。
【００６９】
次に、図１０のステップＳ１１６において、ＣＰＵ９０Ａは、休止乾燥時間及びおまかせ乾燥の残時間を計算する。なお、このステップＳ１１６での休止乾燥時間の計算の仕方は、ステップＳ１０２での休止乾燥時間の計算の仕方と同様とされる。ステップＳ１０２において、ＣＰＵ９０Ａは、一例として、図１２（Ｅ）に示すような状態にあったディスプレイ８０の表示画面を図１２（Ｆ）に示す画面に切り替えてさらに図１２（Ｆ）に示す画面と図１２（Ｇ）に示すような画面とが所定秒毎に交互に表示されるように制御する。その後、ＣＰＵ９０Ａは、休止乾燥時間及びおまかせ乾燥の残時間が算出されたら、図１２（Ｇ）に示すような画面において「計算中」の表示に代えておまかせ乾燥の終了予定時刻が表示されるように制御する。図１０に示す如く、ステップＳ１１６の処理が実行されたら、ＣＰＵ９０Ａは、ステップＳ１１８の処理へ移行する。
【００７０】
ステップＳ１１８において、ＣＰＵ９０Ａは、水分センサ６８によって測定された穀物Ｋの初期の平均水分値（％）が、第１の所定の水分値（％）より大きいか否かを判断する。なお、第１の所定の水分値（％）は、利用者によって設定された穀物Ｋの乾燥仕上がり時の平均水分値（％）よりは大きい値である。
【００７１】
ここで、穀物Ｋの初期の平均水分値（％）が、第１の所定の水分値（％）より大きくない場合（ステップＳ１１８：Ｎ）、ＣＰＵ９０Ａは、ステップＳ１２４の処理（後述）へ移行する。一方、穀物Ｋの初期の平均水分値（％）が、第１の所定の水分値（％）より大きい場合（ステップＳ１１８：Ｙ）、ＣＰＵ９０Ａは、ステップＳ１２０の処理へ移行する。
【００７２】
ステップＳ１２０において、ＣＰＵ９０Ａは、穀物Ｋを循環させるように、下スクリューコンベヤ４０、昇降機４４、上スクリューコンベヤ５０、均分機５８及びシャッタドラム２８の作動を制御しながら、穀物Ｋに熱風を通風する乾燥運転が実行されるように（つまり、バーナ６３によって外気に比し高温に加熱された熱風を発生させ、更に吸引排風機６６を作動させるように）制御し、更に、水分センサ６８が所定のタイミングで水分を測定するように制御する。このとき、ＣＰＵ９０Ａは、ディスプレイ８０の画面において一例として図１３（Ａ）に示すような表示と図１３（Ｂ）に示すような表示とが交互に切り替わるように制御する。なお、このとき、ＣＰＵ９０Ａは、ディスプレイ８０の表示画面に穀物Ｋの初期水分（初期の平均水分値（％））が適宜表示されるようにしてもよい。また、図１０に示すステップＳ１２０において、ＣＰＵ９０Ａは、水分センサ６８によって測定された水分に関するデータをディスプレイ８０の画面に表示する（図示省略）ように制御する。
【００７３】
さらに、穀物Ｋが所定の水分値（利用者によって設定された穀物Ｋの乾燥仕上がり時の平均水分値（％）よりは高い所定の基準値）になるまで乾燥されると、ＣＰＵ９０Ａは、一例として火炉ケース６０（図１参照）の内部のバーナ６３（図２（Ｂ）参照）の冷却が行われるように制御すると共に、ディスプレイ８０の画面において図１３（Ｃ）に示すような表示と図１３（Ｄ）に示すような表示とが交互に切り替わるように制御する。
【００７４】
図１０に示すステップＳ１２０の次のステップＳ１２２において、ＣＰＵ９０Ａは、水分センサ６８によって測定された穀物Ｋの現在の平均水分値（％）が第２の所定の水分値（％）以下であるか否かを判断する。なお、第２の所定の水分値（％）は、前記第１の所定の水分値（％）よりは小さい値であり、かつ利用者によって設定された穀物Ｋの乾燥仕上がり時の平均水分値（％）よりは大きい値である。この第２の所定の水分値（％）は、休止乾燥を開始する際の目安となる値である。
【００７５】
ここで、穀物Ｋの現在の平均水分値（％）が第２の所定の水分値（％）以下でないと判断された場合（ステップＳ１２２：Ｎ）、ＣＰＵ９０Ａは、ステップＳ１２０の処理へ戻る。また、穀物Ｋの現在の平均水分値（％）が第２の所定の水分値（％）以下であると判断された場合（ステップＳ１２２：Ｙ）、ＣＰＵ９０Ａは、ステップＳ１２６の処理へ移行する。
【００７６】
一方、ステップＳ１２４において、ＣＰＵ９０Ａは、穀物Ｋを循環させるように、下スクリューコンベヤ４０、昇降機４４、上スクリューコンベヤ５０、均分機５８及びシャッタドラム２８の作動を制御しながら、穀物Ｋに外気を通風する送風運転（バーナ６３が点火されないで吸引排風機６６を作動させる運転）が行われる状態が所定時間実行されるように制御し、更に、水分センサ６８が所定のタイミングで水分を測定するように制御する。このとき、ＣＰＵ９０Ａは、ディスプレイ８０の画面において一例として図１３（Ａ）に示すような表示と図１３（Ｂ）に示すような表示とが交互に切り替わるように制御する。なお、このとき、ＣＰＵ９０Ａは、ディスプレイ８０の表示画面を切り替えて「循環・送風中」である旨及び穀物Ｋの初期水分（初期の平均水分値（％））等が適宜表示されるように制御してもよい。図１０に示すステップＳ１２４の処理が実行された後、ＣＰＵ９０Ａは、ステップＳ１２６の処理へ移行する。
【００７７】
ステップＳ１２６において、ＣＰＵ９０Ａは、穀物Ｋを循環させないように、下スクリューコンベヤ４０、昇降機４４、上スクリューコンベヤ５０、均分機５８及びシャッタドラム２８を停止させ、ステップＳ１０２又はステップＳ１１６において算出された休止乾燥時間だけ休止乾燥が行われるように（つまりバーナ６３及び吸引排風機６６を停止させて穀物Ｋへの通風を停止するように）制御する。このとき、ＣＰＵ９０Ａは、ディスプレイ８０の画面において一例として図１４（Ａ）に示すような表示と図１４（Ｂ）に示すような表示とが交互に切り替わるように制御する。
【００７８】
図１０に示すステップＳ１２６の次のステップＳ１２８において、ＣＰＵ９０Ａは、穀物Ｋを循環させるように、下スクリューコンベヤ４０、昇降機４４、上スクリューコンベヤ５０、均分機５８及びシャッタドラム２８の作動を制御しながら、穀物Ｋに熱風を通風する仕上げの乾燥運転（ステップＳ１２０と同様の乾燥運転）が行われるように制御する。ここで、ＣＰＵ９０Ａは、穀物Ｋの平均水分値（％）が、利用者によって設定された穀物Ｋの乾燥仕上がり時の平均水分値（％）になるまで、仕上げの乾燥運転が継続されるように制御する。このとき、ＣＰＵ９０Ａは、ディスプレイ８０の画面において一例として図１４（Ｃ）に示すような表示と図１４（Ｄ）に示すような表示とが交互に切り替わるように制御する。
【００７９】
図１０に示すステップＳ１２８の処理が終了すると、ＣＰＵ９０Ａは、ディスプレイ８０の画面に一例として図１４（Ｅ）に示すような表示がなされるように制御し、図１０に示すおまかせ乾燥用のプログラムに基づく処理を終了する。
【００８０】
以上説明したように、本実施形態によれば、休止乾燥の適切な活用を容易にすることができる。
【００８１】
なお、上記実施形態で図４に示すＣＰＵ９０Ａがソフトウェア（プログラム）を読み込んで実行した各処理を、ＣＰＵ以外の各種のプロセッサが実行してもよい。この場合のプロセッサとしては、ＦＰＧＡ（Ｆｉｅｌｄ−Ｐｒｏｇｒａｍｍａｂｌｅ  Ｇａｔｅ  Ａｒｒａｙ）等の製造後に回路構成を変更可能なＰＬＤ（Ｐｒｏｇｒａｍｍａｂｌｅ  Ｌｏｇｉｃ  Ｄｅｖｉｃｅ）、及びＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）等の特定の処理を実行させるために専用に設計された回路構成を有するプロセッサである専用電気回路等が例示される。また、各処理を、これらの各種のプロセッサのうちの１つで実行してもよいし、同種又は異種の２つ以上のプロセッサの組み合わせ（例えば、複数のＦＰＧＡ、及びＣＰＵとＦＰＧＡとの組み合わせ等）で実行してもよい。また、これらの各種のプロセッサのハードウェア的な構造は、より具体的には、半導体素子等の回路素子を組み合わせた電気回路である。
【００８２】
また、上記実施形態で説明したプログラムは、ＣＤ−ＲＯＭ（Ｃｏｍｐａｃｔ  Ｄｉｓｃ  Ｒｅａｄ  Ｏｎｌｙ  Ｍｅｍｏｒｙ）、ＤＶＤ−ＲＯＭ（Ｄｉｇｉｔａｌ  Ｖｅｒｓａｔｉｌｅ  Ｄｉｓｃ  Ｒｅａｄ  Ｏｎｌｙ  Ｍｅｍｏｒｙ）、及びＵＳＢ（Ｕｎｉｖｅｒｓａｌ  Ｓｅｒｉａｌ  Ｂｕｓ）メモリ等の記録媒体に記録された形態で提供されてもよい。また、プログラムは、ネットワークを介して外部装置からダウンロードされる形態としてもよい。
【００８３】
また、上記実施形態では、提示部が図３に示すディスプレイ８０とされているが、提示部は、穀物の乾燥に関する情報を例えば音声で提示する装置等のようなディスプレイ以外の装置とされてもよい。
【００８４】
なお、上記実施形態及び上述の変形例は、適宜組み合わされて実施可能である。
【００８５】
以上、本発明の一例について説明したが、本発明は、上記に限定されるものでなく、上記以外にも、その主旨を逸脱しない範囲内において種々変形して実施可能であることは勿論である。
【符号の説明】
【００８６】
１０    穀物乾燥装置
６８    水分センサ（水分測定部）
８０    ディスプレイ（提示部）
９０Ｄ  ストレージ（記憶部）
９２    算出部
９４    提示制御部
Ｋ      穀物
【要約】
【課題】休止乾燥の適切な活用を容易にすることができる穀物乾燥装置を得る。
【解決手段】穀物乾燥装置１０では、穀物の水分が水分センサ６８によって測定され、穀物の乾燥に関する情報がディスプレイ８０によって表示（広義には提示）される。水分センサ６８によって測定された測定値に基づいて、穀物の初期の水分値におけるばらつきが所定値以上であるとＣＰＵ９０Ａが判断した場合、自動運転モードである「おまかせ乾燥」を選択するように提案するメッセージがディスプレイ８０の表示画面に表示される。
【選択図】図４【図１】
0006765742.tif 000002
【図２】
0006765742.tif 000003
【図３】
0006765742.tif 000004
【図４】
0006765742.tif 000005
【図５】
0006765742.tif 000006
【図６】
0006765742.tif 000007
【図７】
0006765742.tif 000008
【図８】
0006765742.tif 000009
【図９】
0006765742.tif 000010
【図１０】
0006765742.tif 000011
【図１１】
0006765742.tif 000012
【図１２】
0006765742.tif 000013
【図１３】
0006765742.tif 000014
【図１４】
0006765742.tif 000015